(57)【要約】【課題】操作性に富み、長期にわたっても疲労しがたい落とし込み用の釣竿を提供する。【解決手段】この釣竿の元竿１のリールシート７付近には、指挿し穴１０が設けられている。釣人は、タイコリールＲを親指と中指とで挟み込み、その人差し指を指挿し穴１０に差し込んで、人差し指の腹を元竿１の内周面に当てながら、釣竿を把持する。人差し指の折れ角度を自然に近い状態とすることで、長期にわたって楽に釣竿を把持できる。【選択図】　　　図２
2004135632.tif 000002
【特許請求の範囲】
【請求項１】
魚釣りに用いる釣竿であって、
周面に指挿し穴が形成された筒状体である竿体と、
周方向位置が指さし穴と周方向に１８０度変位する位置であり、且つ、軸方向位置が前記指挿し穴から竿元側に向かう位置において、前記竿体の周面に配置されるリールシートと、
を備える釣竿。
【請求項２】
前記竿体の指挿し穴に周縁には前記指挿し穴形状に合わせたフレームが装着されている、請求項１に記載の釣竿。
【発明の詳細な説明】
【０００１】
【発明の属する技術分野】
本発明は魚釣りに用いる釣竿に関する。特に、クロダイ（チヌ），アイナメ釣り等に用いられる落とし込み竿に関する。
【０００２】
【従来の技術】
クロダイ等を波止場から釣り上げる「落とし込み」と呼ばれる釣り方法がある。この釣り方法は、クロダイ等が上から落ちてくるものに興味を示すことを利用する釣りである。この「落とし込み」には、防波堤の直ぐ際に仕掛けを落とし込む場合と、数メートル沖に仕掛けを落とし込む場合がある。
【０００３】
後者の場合、具体的には、例えば、３〜５ｍ程度の全長を有する釣竿に、落とし込み用リール（「タイコリール」とも呼ばれる）を取り付け、丁度、底まで届く程度の釣糸を伸ばしておき、沖に数メートル離れた箇所へ釣竿を差し出し、水面から釣糸の先端に連結した仕掛けを落とし込み、魚を釣り上げる。
このような「落とし込み」に用いられるタイコリールは、地面方向にリールシートを向けてタイコリールが地面側に位置するようにしてリールシートに装着される。釣人が釣竿を把持する具体的な態様としては、タイコリールを地面側に位置させた上で、竿体のリールシート付近を上空側から把持し、タイコリールを親指と中指とで挟み込み、人差し指を伸ばして竿体に沿わせておくのが一般的である。
【０００４】
この「落とし込み」釣りでは、予め伸ばした釣糸の先端の仕掛けを水中に落とし込んだ後には、魚に警戒心を生じさせないように、仕掛けをなるべく自然な状態で沈める必要がある。このため、釣人は上述のような態様で釣竿を把持し、腕を伸ばして釣竿が不要にぶれないように静かに維持しておくことになる。
しかし、上述のような態様で釣竿を繰り返し把持しているのは辛い。特に、竿体に沿わせた人差し指が不自然な角度に位置するので、長時間釣りを続けていると人差し指が痛くなる。
【０００５】
この点、リールシート付近を把持する際の滑り止め・リール操作性の向上を図るために「指かけ」等を設けた釣竿は提供されている（例えば、特許文献１参照）。しかし、タイコリールを用いる落とし込み釣りでは、通常のスピニングリールなどを用いる場合と釣竿の把持態様も釣り操作の態様も異なり、従前の釣竿では対応できない。
【０００６】
【特許文献１】
特開平１１−２８９９２９号公報（第４頁）
【０００７】
【発明が解決しようとする課題】
本発明の課題は、操作性に富み、長期にわたっても疲労しがたい落とし込み用の釣竿を提供することにある。
【０００８】
【課題を解決するための手段】
発明１の釣竿は、魚釣りに用いる釣竿であって、周面に指挿し穴が形成された筒状体である竿体と、周方向位置が指さし穴と周方向に１８０度変位する位置であり、且つ、軸方向位置が指挿し穴から竿元側に向かう位置において、竿体の周面に配置されるリールシートとを備える。
【０００９】
リールシートにタイコリールを装着した後、釣人は、タイコリールを地面方向に向けて釣竿を把持する。この際、例えば、リールを親指と中指とで挟み込み、その人差し指を指挿し穴に差し込んで、人差し指の腹を竿体の内周面に当てながら、釣竿を把持する。人差し指の折れ角度を自然に近い状態とすることで、長期にわたって楽に釣竿を把持し得る。また、指挿し穴に差し込んだ人差し指が、釣竿の左右・前後方向などのぶれを抑える。さらに、人差し指の腹を竿体内周面に当てることで、釣竿の振動を良好に捉えることも可能となり、魚の「当たり」を上手く捉えることも可能である。
【００１０】
発明２の釣竿は、発明１の釣竿であり、竿体の指挿し穴に周縁には指挿し穴形状に合わせたフレームが装着されている。
このフレームが釣人の人差し指と指挿し穴の切り面との直接の接触を抑えて、指挿し具合を向上させている。また、指挿し穴形成に伴う竿体の強度低下に対してその強度を補強する。
【００１１】
【発明の実施の形態】
以下、本発明の実施形態について図面を参照しつつ説明する。
図１に落とし込み竿を示す。この落とし込み竿は、元竿１及び、その穂先側に順次並継形式で連結される元上竿２，中竿３，穂先竿４という４本の竿体から構成されている。各竿体は炭素繊維等の強化樹脂に合成樹脂を含浸させたプリプレグ素材からなる先細り筒状部材であり、竿体同士を連結するための連結部分が、竿体の穂先側端部及び竿元側端部に設けられている。
【００１２】
各竿体の周面には軸方向に間隔を隔てて釣糸Ｌを案内するための釣糸ガイド５が装着されている。また、穂先竿４の穂先側端部にはトップガイド６が取り付けられている。
図２に及び図３に示すように、元竿１には、その軸方向の中央付近の周面にリールシート７が装着されている。このリールシート７は、固定フード７ａと、載置部７ｂと、移動フード７ｃとから構成される。固定フード７ａはタイコリールＲの脚部の一端を差し込んで固定する部分である。載置部７ｂはタイコリールＲの脚部が載置される部分である。移動フード７ｃは元竿１の軸方向にスライド移動可能であり、タイコリールＲの脚部の他端側を差し込み、固定フード７ａとの間でタイコリールＲの脚部を挟持する。そして、所定の固定機構で移動フード７ｃは位置決めされる。これらのリールシート７の各パーツは元竿１の周面に配置され巻糸８などで巻回されて固定されている。
【００１３】
一方、元竿１のリールシート７の周方向に１８０度変位する側には、指挿し穴１０が設けられている。指挿し穴１０の軸方向位置はリールシート７の穂先側の固定フード７ａ付近である。指挿し穴１０の形状は任意に設定可能であるが、元竿１の軸方向に長い矩形若しくは楕円型などにするのがよい。指をスムーズに挿入するために軸方向長さとして４〜６ｍｍ程度の長さを確保するのがよい。また、この指挿し穴１０にはその穴形状に合わせたフレーム１１をはめ込んでも良い。フレーム１１は金属若しくは合成樹脂等から形成できる。指挿し穴１０内に部分的に挿入するフランジを設けて、このフランジを接着剤等で指挿し穴１０に固定する。このフレーム１１が釣人の人差し指と指挿し穴１０の切り面との直接の接触を抑えて、指挿し具合を向上させる。また、指挿し穴１０形成に伴う元竿１の強度低下に対してその強度を補強している。
【００１４】
このような落とし込み竿では、図２に示すように、リールシート７にタイコリールＲを装着した後、釣人は、タイコリールＲを地面方向に向けてリールシート７付近を把持する。具体的には、タイコリールＲを親指と中指とで挟み込み、その人差し指を指挿し穴１０に差し込んで、人差し指の腹を元竿１の内周面に当てながら、釣竿を把持する。
【００１５】
人差し指の折れ角度を自然に近い状態とすることで、長期にわたって楽に釣竿を把持し得る。また、指挿し穴１０に差し込んだ人差し指が、釣竿の左右・前後方向などのぶれを抑える。さらに、人差し指の腹が元竿１の内周面に当たり、穂先竿４〜元竿１の振動を良好に捉えることも可能となり、魚の「当たり」を上手く捉えられる。
【００１６】
【発明の効果】
本発明に係る落とし込み竿では、リールシート付近を把持しやすく、長時間釣竿を円滑に操作できる。
【図面の簡単な説明】
【図１】本発明の一実施形態を採用した落とし込み竿の全体図。
【図２】図１のリールシート７付近の拡大図。
【図３】図２のリールシート７の反対周面側を示した図。
【符号の説明】
１　元竿
７　リールシート
１０　指挿し穴
Ｒ　タイコリール
【図１】
2004135632.tif 000003
【図２】
2004135632.tif 000004
【図３】
2004135632.tif 000005